(57)【特許請求の範囲】
【請求項１】
フラップを備えた前身頃の外表面側に取り付けられる第１ポケット部と、
前記前身頃の内表面側に取り付けられ、前記第１ポケット部よりも大きい第２ポケット部とを有し、
前記フラップは、前記第１ポケット部の開口部を覆って前記第１ポケット部の上方に設けられ、
前記第２ポケット部の開口が前記フラップの上端に沿って設けられるように、前記第２ポケット部の前側袋布片部の上端部が前記フラップの上端部とともに前記前身頃に縫い付けられ、
前記第２ポケット部の前記前側袋布片部の前記上端部に、第１スナップボタンが取り付けられ、
前記第２ポケット部の後側袋布片部には、前記第１スナップボタンと係合して前記第２ポケット部の開口部を閉じる第２スナップボタンが取り付けられていることを特徴とする上衣。
【請求項２】
前記前身頃は、シャツを構成する前身頃であり、
前記第２ポケット部の前記開口部の近傍部に、当て布を介して、少なくとも前記第１及び第２スナップボタンを取り付けたことを特徴とする請求項１に記載の上衣。
【請求項３】
外表面に前立てを備えた前身頃の前記外表面側に取り付けられる第１ポケット部と、
前記前身頃の内表面側に取り付けられ、前記第１ポケット部よりも大きい第２ポケット部とを有し、
前記前立てに沿って形成された切り込みを、前記第２ポケット部の開口とし、
前記第２ポケット部は、前記第２ポケット部の領域内に前記第１ポケット部が位置し、前記第１ポケット部の下方に前記第２ポケット部の下部が配置される大きさで構成されていることを特徴とする上衣。
【請求項４】
前記第２ポケット部の一方の側部は、前記前身頃の前立てに固定されていることを特徴とする請求項１〜３の何れか１項に記載の上衣。
【請求項５】
前記第１ポケット部よりも大きい内ポケット部を更に備え、
前記内ポケット部の一方の側部は、脇近傍の前記前身頃に固定されており、
前記内ポケット部の他方の側部は、前記前身頃の見返し部に接続されており、
前記内ポケット部の底部は、前記前身頃の裾の見返し部に固定されていることを特徴とする請求項３又は４に記載の上衣。
【発明の詳細な説明】
【技術分野】
【０００１】
本発明は、複数のポケット部を備えた上衣に関する。
【背景技術】
【０００２】
シャツやジャケット等の上衣には、小物を収納するためのポケット部を備えているものもある。作業で使う物を入れるためのポケット部を設けた作業着も検討されている（例えば、特許文献１参照）。この文献に記載の作業着においては、上縁が脇部から胸前に向かって下方に傾斜するポケット部を前身頃に設けるとともに、ポケット部上縁を覆うフラップを設けている。
【０００３】
また、大きな物を携帯したり、多くの小物を携帯したりすることもある。このため、上衣に設けるポケット部の大型化が検討されている（例えば、特許文献２参照）。この文献に記載の衣服の内ポケット部構造においては、上着の前身頃の内側に、前身頃の胸部から腹部にかけて収納部を有する内ポケット部を設ける。更に、この内ポケット部の身体に面する側の所要箇所と、前身頃の表側の外ポケット部の上部に、内ポケット部に通ずる開口部を設ける。
【先行技術文献】
【特許文献】
【０００４】
【特許文献１】登録実用新案第３０４４７７５号公報
【特許文献２】特開平１０−４６４１４号公報
【発明の概要】
【発明が解決しようとする課題】
【０００５】
しかしながら、大型のポケット部は、上衣の意匠性を低下させることがある。また、ポケット部に大きな物を収納した場合、収納物が上衣の形状に影響し、見栄えが悪くなることがあった。
【０００６】
本発明は、上記課題に鑑みてなされ、その目的は、収納力を向上させるとともに、意匠性を向上させることができる上衣を提供することにある。
【課題を解決するための手段】
【０００７】
上記課題を解決するための上衣は、装飾部位を備えた前身頃の外表面側に取り付けられる第１ポケット部と、前記前身頃の内表面側に取り付けられ、前記第１ポケット部よりも大きい第２ポケット部とを有し、前記第２ポケット部の開口部を、前記装飾部位に沿うように設ける。これにより、第１ポケット部とともに、大容量の第２ポケット部を上衣に設けた場合においても、見栄えをすっきりさせることができる。ここで、装飾部位には、切り替えしのラインやポケット等、上衣の機能美のための装飾部位をも含む。
【０００８】
上記上衣において、前記第１ポケット部の上方には、前記装飾部位として、前記第１ポケット部の開口部を覆うフラップが取り付けられており、このフラップの上端部に沿って、前記第２ポケット部の前記開口部が設けられていることが好ましい。これにより、第２ポケット部の開口部を上衣の外表面に設けても、見栄えをすっきりさせることができる。
【０００９】
上記課題を解決するための上衣は、外表面に前立てを備えた前身頃の前記外表面側に取り付けられる第１ポケット部と、前記前身頃の内表面側に取り付けられ、前記第１ポケット部よりも大きい第２ポケット部とを有し、前記前立てに沿って形成された切り込みを、前記第２ポケット部の開口とし、前記第２ポケット部は、前記第２ポケット部の領域内に前記第１ポケット部が位置し、前記第１ポケット部の下方に前記第２ポケット部の下部が配置される大きさで構成されていることが好ましい。これにより、第２ポケット部の開口部を上衣の外表面に設けても、見栄えをすっきりさせることができる。更に、第２ポケット部に収納した物は、第１ポケット部よりも下のほうに配置されることになるので、特定の箇所が膨らみにくく、見栄えをよりすっきりさせることができる。
【００１０】
上記上衣において、前記第２ポケット部の一方の側部は、前記前身頃の前立てに固定されていることが好ましい。これにより、第２ポケット部を補強することができる。
上記上衣において、前記前身頃は、シャツを構成する前身頃であり、前記第２ポケット部の前記開口部の近傍部に、当て布を介して、少なくとも１組のスナップボタンを取り付けることが好ましい。これにより、シャツ等の布が薄い上衣においても、当て布によってスナップボタンを強固に取り付けることができる。
【００１１】
上記上衣において、前記第１ポケット部よりも大きい内ポケット部を更に備え、前記内ポケット部の一方の側部は、脇近傍の前記前身頃に固定されており、前記内ポケット部の他方の側部は、前記前身頃の見返し部に接続されており、前記内ポケット部の底部は、前記前身頃の裾の見返し部に固定されていることが好ましい。これにより、見返し部を用いて大容量で強固なポケットを更に設けることができる。
【発明の効果】
【００１２】
本発明によれば、収納力を向上させるとともに、意匠性を向上させることができる。
【図面の簡単な説明】
【００１３】
【図１】第１の実施形態におけるシャツの正面図。
【図２】第１の実施形態におけるシャツの要部を説明する説明図であり、（ａ）はフラップを持ち上げた状態の正面図、（ｂ）は第２ポケット部を開いた状態の正面図、（ｃ）は前身頃の要部の断面図、（ｄ）は前身頃の裏面を示した裏面図である。
【図３】第１の実施形態のシャツの着用状態の説明図であり、（ａ）は全身を示した状態、（ｂ）は第２ポケット部にタブレット端末を収納する途中の状態を示す。
【図４】第２の実施形態におけるジャケットの正面図。
【図５】第２の実施形態におけるジャケットの要部の説明図であり、（ａ）は右の前身頃の裏面を示した裏面図、（ｂ）は左の前身頃の裏面を示した裏面図、（ｃ）は左のフラップを持ち上げて第１ポケット部を開いた状態の断面斜視図、（ｄ）は左の下部内ポケット部を開いた状態の斜視図。
【図６】第１の実施形態におけるシャツの写真画像による正面図。
【図７】第１の実施形態におけるシャツの写真画像による背面図。
【図８】第１の実施形態におけるシャツの写真画像による平面図。
【図９】第１の実施形態におけるシャツの写真画像による底面図。
【図１０】第１の実施形態におけるシャツの写真画像による右側面図。
【図１１】第１の実施形態におけるシャツの写真画像による左側面図。
【図１２】第１の実施形態におけるシャツの写真画像による部分拡大図。
【図１３】第１の実施形態におけるシャツの写真画像による裏返した状態の正面図。
【図１４】第１の実施形態におけるシャツの写真画像による裏返した状態の部分拡大図。
【図１５】第１の実施形態におけるシャツの写真画像による着用した状態の正面図。
【図１６】第１の実施形態におけるシャツの写真画像による着用した状態で右の前身頃の第２ポケット部を開けた状態の一部拡大斜視図。
【図１７】第１の実施形態におけるシャツの写真画像による第２ポケット部の位置を一点鎖線で表した参考正面図。
【図１８】第１の実施形態におけるシャツの第１ポケット及び第２ポケットの構成を模式的に表した図１２のＦ−Ｆ線方向の参考端面図。
【図１９】第１の実施形態におけるシャツとともに着用したズボンの写真画像による正面図。
【図２０】第１の実施形態におけるシャツとともに着用したズボンの写真画像による背面図。
【図２１】第１の実施形態におけるシャツとともに着用したズボンの写真画像による平面図。
【図２２】第１の実施形態におけるシャツとともに着用したズボンの写真画像による底面図。
【図２３】第１の実施形態におけるシャツとともに着用したズボンの写真画像による右側面図。
【図２４】第１の実施形態におけるシャツとともに着用したズボンの写真画像による左側面図。
【図２５】第２の実施形態におけるジャケットの写真画像による正面図。
【図２６】第２の実施形態におけるジャケットの写真画像による背面図。
【図２７】第２の実施形態におけるジャケットの写真画像による平面図。
【図２８】第２の実施形態におけるジャケットの写真画像による底面図。
【図２９】第２の実施形態におけるジャケットの写真画像による右側面図。
【図３０】第２の実施形態におけるジャケットの写真画像による左側面図。
【図３１】第２の実施形態におけるジャケットの写真画像による右の前身頃の部分拡大図。
【図３２】第２の実施形態におけるジャケットの写真画像による左の前身頃の部分拡大図。
【図３３】第２の実施形態におけるジャケットの写真画像による裏返した状態の正面図。
【図３４】第２の実施形態におけるジャケットの写真画像による着用した状態の正面図。
【図３５】第２の実施形態におけるジャケットの写真画像による着用した状態で右の前身頃の第２ポケット部を開けた状態の一部拡大斜視図。
【図３６】第２の実施形態におけるジャケットの写真画像による着用した状態で左の前身頃の第１ポケット部を開けた状態の一部拡大斜視図。
【図３７】第２の実施形態におけるジャケットの写真画像による着用した状態で左の前身頃の第１ポケット部・上部内ポケット部を開けた状態の一部拡大斜視図。
【図３８】第２の実施形態におけるジャケットの写真画像による着用した状態で左の前身頃のサイドポケット部を開けた状態の一部拡大斜視図。
【図３９】第２の実施形態におけるジャケットの写真画像による左の前身頃の第２ポケット部とその開口部及び右の前身頃の上部内ポケット部の位置を一点鎖線で表した参考正面図。
【図４０】第２の実施形態におけるジャケットの右の前身頃の構成を模式的に示した参考端面図であって、（ａ）は図３１のＧ−Ｇ線方向の端面図、（ｂ）は図３１のＨ−Ｈ線方向の端面図。
【図４１】第２の実施形態におけるジャケットの左の前身頃の構成を模式的に示した参考端面図であって、（ａ）は図３２のＪ−Ｊ線方向の端面図、（ｂ）は図３２のＫ−Ｋ線方向の端面図。
【図４２】他の実施形態におけるコートの写真画像による正面図。
【図４３】他の実施形態におけるコートの写真画像による背面図。
【図４４】他の実施形態におけるコートの写真画像による平面図。
【図４５】他の実施形態におけるコートの写真画像による底面図。
【図４６】他の実施形態におけるコートの写真画像による右側面図。
【図４７】他の実施形態におけるコートの写真画像による左側面図。
【図４８】他の実施形態におけるコートの写真画像による第２ポケット部を開いて襟を立てた状態の斜視図。
【図４９】他の実施形態におけるコートの写真画像による第１ポケット部を開けた状態の一部拡大斜視図。
【発明を実施するための形態】
【００１４】
（第１の実施形態）
以下、図１〜図３及び図６〜図２４を用いて、上衣の第１の実施形態を説明する。本実施形態では、上衣としてのシャツ１０について説明する。
【００１５】
図１に示すように、シャツ１０は、後身頃に接続された２つの前身頃１１、２つの袖１５、襟等を備えている。左側の袖１５には、筆記具等を入れる袖ポケット部１５ａが取り付けられている。
【００１６】
次に、シャツ１０の前身頃１１について説明する。本実施形態のシャツ１０は、ほぼ左右対称であるため、左側の前身頃１１について説明し、右側の前身頃１１については、同一の符号を付し、その詳細な説明は省略する。
【００１７】
本実施形態の各前身頃１１には、シャツ１０の中央で前立て部１１ａが形成されている。この前立て部１１ａの外表面側には、複数のボタンが一列で離間して配置されている。各前身頃１１は、第１ポケット部２０、フラップ２５、第２ポケット部３０をそれぞれ有している。本実施形態では、フラップ２５が装飾部位として機能する。
【００１８】
第１ポケット部２０は、胸部に配置され、上部が開口したパッチポケット部である。フラップ２５は、第１ポケット部２０の開口部を覆うように配置されている。第２ポケット部３０は、第１ポケット部２０と重なるように配置されている。
【００１９】
図２（ａ）は、左側の前身頃１１のフラップ２５の下端縁部を持ち上げることにより、第１ポケット部２０の開口部を露出させた図である。図２（ｂ）は、フラップ２５の上端縁部を外側に引っ張ることにより、第２ポケット部３０の開口部を露出させた図である。
図２（ｃ）は、左側の前身頃１１の胸部における側方から見た（垂直方向に切断した）断面図である。なお、この図２（ｃ）は、図１２のＥ−Ｅ線方向の第１ポケット部２０及び第２ポケット部３０の構成を模式的に表した参考端面図である。
図２（ｄ）は、左側の前身頃１１の裏面側から見た図である。
【００２０】
図２（ａ）に示すように、前身頃１１の胸部の外側表面には、第１ポケット部２０が取り付けられている。第１ポケット部２０は、角を斜めに切り欠いた略長方形状をしており、１枚の布片から構成されている。本実施形態の第１ポケット部２０の大きさは、縦が約１５ｃｍ、横が約１４ｃｍである。第１ポケット部２０は、上部が開口するように、両側縁部と下端縁部とが、前身頃１１の外表面に縫い付けられている。更に、第１ポケット部２０の上端部の外側表面における中央部には、スナップボタン２１が固定されている。
【００２１】
また、フラップ２５は、略長方形状の布片から構成されている。なお、本実施形態のフラップ２５の下端縁部は円弧形状となっている。フラップ２５の上端縁部は、第１ポケット部２０の上端部と平行となるように配置されている。また、フラップ２５の下端部の内側表面には、フラップ２５を閉じた場合、スナップボタン２１に対応する位置にスナップボタン２６が設けられている。このスナップボタン２６は、スナップボタン２１と係合して、フラップ２５によって第１ポケット部２０の開口部を閉じる。
【００２２】
更に、図２（ｂ）に示すように、フラップ２５の上端縁部は、ペン差し領域Ｐｓを除いた部分において、前身頃１１の外表面に縫い付けられている。ペン差し領域Ｐｓは、前身頃１１の前返し側（シャツ１０の中央側）近傍に設けられている。
【００２３】
前身頃１１には、フラップ２５の上端縁部に沿う形状で切り込みが形成されている。この切り込みによって、第２ポケット部３０の開口部が形成されている。この開口部は、フラップ２５の横方向の幅とほぼ同じ長さで形成されている。
【００２４】
図２（ｃ）に示すように、第２ポケット部３０は、底部が閉じた長方形状の袋部からなる。この袋部は、前側袋布片部３０ａと、後側袋布片部３０ｂとを有する。第２ポケット部３０のサイズ（幅、深さ）は、第１ポケット部２０よりも大きい。これにより、第１ポケット部２０は、第２ポケット部３０が設けられた領域内で重なるように配置される。そして、第１ポケット部２０の底部より下方に第２ポケット部３０の底部が配置される。なお、本実施形態の第２ポケット部３０は、横が約１７ｃｍ、縦が約２５ｃｍの略長方形状である。これにより、この第２ポケット部３０は、タブレット端末等を収納可能な大きさで形成されている。
【００２５】
第２ポケット部３０の前側袋布片部３０ａの上端部は、フラップ２５の上端部とともに、前身頃１１に縫い付けられている。第２ポケット部３０の後側袋布片部３０ｂの上端部は、開口部の上側で前身頃１１の裏側に縫い付けられている。この後側袋布片部３０ｂは、フラップ２５の上端縁部とともに縫い付けられている。これにより、第２ポケット部３０の開口部が、フラップ２５に沿うように形成されている。
【００２６】
図２（ｄ）に示すように、本実施形態の第２ポケット部３０の側部（前立て部１１ａ側）は、前立て部１１ａの端部に縫い付けられている。更に、第２ポケット部３０の（前立て部１１ａとは反対側の側部の）上端部は、袖１５とともに、前身頃１１に縫い付けられている。
【００２７】
図２（ｂ）に示すように、第２ポケット部３０の前側袋布片部３０ａの上端の中央部には、スナップボタン３２ａが取り付けられている。また、第２ポケット部３０の後側袋布片部３０ｂの上端の中央部には、当て布３１を介してスナップボタン３２ｂが取り付けられている。スナップボタン３２ａは、スナップボタン３２ｂと係合して、第２ポケット部３０の開口部を閉じる。
【００２８】
図３（ａ）には、シャツ１０を着用した状態を示している。この場合、シャツ１０の下端部は、ズボン４０の中に挿入される。シャツ１０の第１ポケット部２０は、前身頃１１の外表面に配置される。更に、第２ポケット部３０は、前身頃１１の内表面側において、ズボン４０の上端よりも上側に配置される。なお、本実施形態のズボン４０として、両サイドにポケット部が設けられたカーゴパンツを用いる。このズボン４０は、ウエスト部分４１の一部がゴムで構成されている。更に、このズボン４０のウエスト部分４１及びベルト通し４２は、ズボン４０の他の部分に比べて、濃い色（例えば黒色等）の布で構成されており、一見するとベルトをしているように見える。また、図３（ｂ）に示すように、第２ポケット部３０に、タブレット端末を収納することができる。
【００２９】
本実施形態によれば、以下のような効果を得ることができる。
（１）本実施形態のシャツ１０の前身頃１１には、第１ポケット部２０と、この開口部を覆うフラップ２５とが取り付けられている。更に、フラップ２５の上端部に沿って、第１ポケット部２０よりも大きい第２ポケット部３０の開口部が形成されている。これにより、第２ポケット部３０の開口部をシャツ１０の外表面に設けても、意匠性を向上させることができる。更に、第２ポケット部３０の開口部を第１ポケット部２０の開口部よりも上に設けたので、シャツ１０を装着した際に、第２ポケット部３０の下端部がズボンに収納する位置よりも上に配置することができる。
【００３０】
（２）本実施形態の第２ポケット部３０のサイズ（幅、深さ）は、第１ポケット部２０よりも大きく、第２ポケット部３０の領域内となるように、第１ポケット部２０が配置されている。これにより、収納力を向上させることができる。更に、第２ポケット部３０は前身頃の内側にあるため、外部から膨らみが見えにくく、見栄えよくすることができる。
【００３１】
（３）本実施形態の第２ポケット部３０の一方の側部全体が、前身頃１１の前立て部１１ａの端部とともに縫い付けられている。これにより、第２ポケット部３０を補強することができる。
【００３２】
（４）本実施形態の第２ポケット部３０における前立て部１１ａとは反対側の端部の上端が、袖１５とともに、前身頃１１に縫い付けられている。これにより、第２ポケット部３０を更に補強することができる。
【００３３】
（５）本実施形態の第２ポケット部３０の後側袋布片部３０ｂの上端の中央部には、当て布３１を介してスナップボタン３２ｂが取り付けられている。スナップボタン３２ｂは、第２ポケット部３０の前側袋布片部３０ａのスナップボタン３２ａと係合して、第２ポケット部３０の開口部を閉じる。これにより、布が薄いシャツ１０の場合であっても、当て布３１によってスナップボタン３２ｂを強固に取り付けることができる。
【００３４】
（第２の実施形態）
次に、図４、図５及び図２５〜図４１を用いて、上衣の第２の実施形態について説明する。第１の実施形態では、装飾部位としてフラップ２５を用いたが、本実施形態においては、更に、前立てを装飾部位として用いた上衣（ジャケット）について説明する。
【００３５】
図４に示すように、ジャケット５０は、後身頃に接続された２つの前身頃５１，５２、２つのラグラン袖５５，５６、襟等を備えている。左側のラグラン袖５６には、ペンを入れる袖ポケット部５６ａが取り付けられている。
【００３６】
ジャケット５０の右側の前身頃５１には、ジャケット５０の中央において、装飾部位としての前立て部５１ａが形成されている。ジャケット５０には、線ファスナーが取り付けられている。この線ファスナーは、右側の前立て部５１ａの内側端部と、左側の前身頃５２の側端部とを係止したり開放したりする。更に、ジャケット５０の各前身頃５１，５２には、ジャケット５０の中央からラグラン袖５５，５６に向かって傾斜する切り替えし部５３，５４が設けられている。
【００３７】
また、前身頃５１，５２には、第１ポケット部６１，６２とフラップ６５，６６とがそれぞれ取り付けられている。第１ポケット部６１，６２、フラップ６５，６６は、左右対称の形状をしている。
【００３８】
第１ポケット部６１，６２は、上記第１の実施形態の第１ポケット部２０と同様に、胸部に配置され、上部が開口したパッチポケット部である。本実施形態の第１ポケット部６１，６２は、脇側の下端部が切り欠いた略長方形状をしている。第１ポケット部６１，６２の上端部は、切り替えし部５３，５４のラインと平行な斜め形状をしている。第１ポケット部６１，６２は、上部が開口するように、両側縁部と下端縁部とが、前身頃１１の外表面に縫い付けられている。更に、第１ポケット部６１，６２の上端部の外側表面における中央部には、スナップボタン６３が固定されている。
【００３９】
フラップ６５，６６は、第１ポケット部６１，６２の開口をそれぞれ覆っている。フラップ６５，６６の上端部は、切り替えし部５３，５４に沿った形状をしており、切り替えし部５３，５４に沿って配置されている。フラップ６５，６６の下端部の内側表面には、フラップ６５，６６を閉じた場合、スナップボタン６３に対応する位置にスナップボタン６４が設けられている。このスナップボタン６４は、スナップボタン６３と係合して、フラップ６５，６６によって第１ポケット部６１，６２の開口部を閉じる。
【００４０】
右の前身頃５１は、前立て部５１ａに沿って、切り込みが形成されている。この切り込みには、開閉するための線ファスナーが取り付けられており、玉縁が形成されている。この切り込みは、後述する第２ポケット部７１の開口部７１ａとなる。
【００４１】
図５（ａ）は、右側の前身頃５１の裏面を見た図である。図５（ａ）に示すように、右側の前身頃５１には、第２ポケット部７１が設けられている。この第２ポケット部７１は、底部が閉じた長方形状の袋部からなる。この第２ポケット部７１のサイズ（幅、深さ）は、第１ポケット部６１よりも大きい。これにより、第１ポケット部６１は、第２ポケット部７１の領域内となるように配置され、第１ポケット部６１の底部より下方に第２ポケット部７１の底部が配置される。
【００４２】
更に、第２ポケット部７１の上端部は、切り替えし部５３とともに前身頃５１に縫い付けられており、第２ポケット部７１の側部は、前身頃５１の見返し部５１ｂに取り付けられている。この第２ポケット部７１は、上述した切り込みに対応して開口しており、前身頃５１の外表面の開口部７１ａに連通している。
【００４３】
図５（ｂ）は、左側の前身頃５２の裏面を見た図である。図５（ｃ）は、左側の前身頃５２のフラップ６６の下端縁部を持ち上げて、第１ポケット部６２の開口部及び後述する上部内ポケット部７２の開口部を開いた状態の断面斜視図である。図５（ｄ）は、左の前身頃５２の下部内ポケット部７６の開口部を開いた状態の断面斜視図である。
【００４４】
図５（ｂ）に示すように、上部内ポケット部７２は、右側の前身頃５１の第２ポケット部７１よりも一回り小さい長方形状の袋部を有している。この上部内ポケット部７２の上端部が、切り替えし部５４とともに前身頃５２に縫い付けられている。
【００４５】
更に、図５（ｃ）に示すように、第１ポケット部６２内の前身頃５２の外表面側において切り込みが形成されている。この切り込みには、片玉縁が設けられている。この切り込みが、上部内ポケット部７２の開口部７２ａとなっており、この開口部７２ａを介して、上部内ポケット部７２の内部に物を挿入したり取り出したりすることができる。
【００４６】
また、図５（ｄ）に示すように、左の前身頃５２の裏面には、略長方形状の布部材から構成された下部内ポケット部７６が設けられている。この下部内ポケット部７６の底部は、左の前身頃５２の裾の見返し部５２ｃと一緒に縫い付けられている。下部内ポケット部７６の一方の側部は、前身頃５２の側部の見返し部５２ｂに接続するように縫い付けられている。更に、下部内ポケット部７６における見返し部５２ｂと反対側の側部は、前身頃５２と後身頃との接続部とともに縫い付けられることにより、脇近傍の前身頃１１に固定されている。
【００４７】
また、図４に示すように、各前身頃５１，５２には、第１ポケット部６１，６２の下方において、サイドポケット部６７，６８が配置されている。このサイドポケット部６７，６８は、各前身頃５１，５２において斜め形状の切り込みによって開口部が形成されている。このサイドポケット部６７，６８は、底部が閉じた略扇形状の袋部を有しており、下端部が前身頃５１，５２の裾の見返し部５１ｃ，５２ｃとともに縫い付けられている。更に、サイドポケット部６７，６８は、開口部を閉じる長方形状のサイドフラップ６７ａ，６８ａを備えている。
【００４８】
本実施形態によれば、上記第１の実施形態に記載の（２）及び（３）と同様の効果に加えて、以下の効果を得ることができる。
（６）本実施形態のジャケット５０の右の前身頃５１には、胸部に第１ポケット部６１が配置されている。更に、この前身頃５１の前立て部５１ａに沿って、第２ポケット部７１の開口部７１ａとなる切り込みが形成されている。これにより、第２ポケット部７１の開口部７１ａをジャケット５０の外表面に設けても、意匠性を向上させ、見栄えよくすることができる。
【００４９】
（７）本実施形態のジャケット５０の前身頃５２には、略長方形状の布部材から構成された下部内ポケット部７６が設けられている。この下部内ポケット部７６の底部は、左の前身頃５２の裾の見返し部５２ｃと一緒に縫い付けられている。下部内ポケット部７６の一方の側部は、前身頃５２の側部の見返し部５２ｂに接続するように縫い付けられている。更に、下部内ポケット部７６における見返し部５２ｂと反対側の側部は、前身頃５２と後身頃との接続部とともに縫い付けられる。これにより、見返し部５２ｂ，５２ｃを用いて、収納力が大きく、強固なポケットを設けることができる。
【００５０】
また、上記実施形態は、以下のように変更してもよい。
・上記第１実施形態のシャツ１０においては、左右の各前身頃１１に、第１ポケット部２０及び第２ポケット部３０を設けた。上記第２実施形態のジャケット５０においては、右側の前身頃５１に、第１ポケット部６１及び第２ポケット部７１を設けた。この場合、上記第１実施形態のシャツ１０の各前身頃１１に設けた第１ポケット部２０及び第２ポケット部３０の構造を、上記第２実施形態のジャケット５０の一方又は両方の前身頃（５１，５２）に適用してもよい。また、ジャケット５０においては、右の前身頃５１のポケット構造（第１ポケット部６１等）と左の前身頃５２のポケットの構造（第２ポケット部７１等）とを、左右逆にして左右対称に設けてもよい。更に、上述した第１ポケット部２０，６１と第２ポケット部３０，７１とを設ける上衣は、シャツ１０やジャケット５０に限定されない。例えば、ベスト、ブルゾン（ジャンパー）、図４２〜図４９に示すコート等に適用してもよい。このコートにおいては、上記第２実施形態のジャケット５０と同様に、右の前身頃及び左の前身頃の胸の位置に第１ポケット部が設けられている。更に、このコートにおいては、ジャケット５０と同様に、右の前身頃においては、第１ポケット部よりも内側に第２ポケット部が設けられている。
【００５１】
・上記第１実施形態のシャツ１０においては、フラップ２５の上端部に沿うように、第２ポケット部３０の開口部を設けた。上記第２実施形態のジャケット５０においては、右の前身頃５１の前立て５１ａの端部に沿うように、第２ポケット部７１の開口部７１ａを設けた。第２ポケット部の開口部が配置される装飾部位は、これらに限定されない。例えば、第１ポケット部の下端部等、サイドポケット部６７，６８の開口部、サイドフラップ６７ａ，６８ａ、前身頃の装飾（機能美の装飾も含む）のラインを装飾部位として用いることも可能である。
【００５２】
・上記各実施形態の第１ポケット部２０，６１，６２及び第２ポケット部３０，７１は、略四角形状によって構成した。これら第１ポケットや第２ポケットの形状はこれに限定されず、例えば、ホームベース型であってもよい。この場合、第２ポケット部の開口が、前身頃の装飾部位に沿う形状であればよい。
【符号の説明】
【００５３】
１０…シャツ、１１，５１，５２…前身頃、１１ａ，５１ａ…前立て部、１５…袖、１５ａ，５６ａ…ポケット部、２０，６１，６２…第１ポケット部、２１，２６，３２ａ，３２ｂ，６３，６４…スナップボタン、２５，６５，６６…フラップ、３０，７１…第２ポケット部、３０ａ…前側袋布片部、３０ｂ…後側袋布片部、３１…当て布、４０…ズボン、４１…ウエスト部分、４２…ベルト通し、５０…ジャケット、５１ｂ，５１ｃ，５２ｂ，５２ｃ…見返し部、５３，５４…切り替えし部、５５，５６…ラグラン袖、６７，６８…サイドポケット部、６７ａ，６８ａ…サイドフラップ部、７１ａ，７２ａ…開口部、７２…上部内ポケット部、７６…下部内ポケット部。
【図１】
0006759672.tif 000002
【図２】
0006759672.tif 000003
【図３】
0006759672.tif 000004
【図４】
0006759672.tif 000005
【図５】
0006759672.tif 000006
【図６】
0006759672.tif 000007
【図７】
0006759672.tif 000008
【図８】
0006759672.tif 000009
【図９】
0006759672.tif 000010
【図１０】
0006759672.tif 000011
【図１１】
0006759672.tif 000012
【図１２】
0006759672.tif 000013
【図１３】
0006759672.tif 000014
【図１４】
0006759672.tif 000015
【図１５】
0006759672.tif 000016
【図１６】
0006759672.tif 000017
【図１７】
0006759672.tif 000018
【図１８】
0006759672.tif 000019
【図１９】
0006759672.tif 000020
【図２０】
0006759672.tif 000021
【図２１】
0006759672.tif 000022
【図２２】
0006759672.tif 000023
【図２３】
0006759672.tif 000024
【図２４】
0006759672.tif 000025
【図２５】
0006759672.tif 000026
【図２６】
0006759672.tif 000027
【図２７】
0006759672.tif 000028
【図２８】
0006759672.tif 000029
【図２９】
0006759672.tif 000030
【図３０】
0006759672.tif 000031
【図３１】
0006759672.tif 000032
【図３２】
0006759672.tif 000033
【図３３】
0006759672.tif 000034
【図３４】
0006759672.tif 000035
【図３５】
0006759672.tif 000036
【図３６】
0006759672.tif 000037
【図３７】
0006759672.tif 000038
【図３８】
0006759672.tif 000039
【図３９】
0006759672.tif 000040
【図４０】
0006759672.tif 000041
【図４１】
0006759672.tif 000042
【図４２】
0006759672.tif 000043
【図４３】
0006759672.tif 000044
【図４４】
0006759672.tif 000045
【図４５】
0006759672.tif 000046
【図４６】
0006759672.tif 000047
【図４７】
0006759672.tif 000048
【図４８】
0006759672.tif 000049
【図４９】
0006759672.tif 000050